(57)【要約】            一例では、本開示は、エアマットレスシステムの中央制御装置において、ユーザが前記エアマットレスシステムのマットレス上に存在するかどうかを判定する段階と、前記ユーザが前記マットレス上に存在するという判定に応答してタイマを開始する段階と、前記タイマが時間切れになった後に前記ユーザが前記マットレス上に存在するという判定に基づいて、前記エアマットレスシステムの照明制御機能を使用可能にする段階と、前記照明制御機能を使用可能にした後に、前記ユーザが前記マットレス上に既に存在しないという判定に応答して、前記中央制御装置から、前記エアマットレスシステムの少なくとも1つの照明を点灯するための少なくとも1つの命令を伝送する段階と、を含む方法を記載する。
2016516479.tif 000002
【特許請求の範囲】
【請求項１】
エアマットレスシステムの中央制御装置において、ユーザが前記エアマットレスシステムのマットレス上に存在するかどうかを判定する段階と、
前記ユーザが前記マットレス上に存在するという判定に応答してタイマを開始する段階と、
前記タイマが時間切れになった後に前記ユーザが前記マットレス上に存在するという判定に基づいて、前記エアマットレスシステムの照明制御機能を使用可能にする段階と、
前記照明制御機能を使用可能にした後に、前記ユーザが前記マットレス上に既に存在しないという判定に応答して、前記中央制御装置から、前記エアマットレスシステムの少なくとも1つの照明を点灯するための少なくとも1つの命令を伝送する段階とを含む、方法。
【請求項２】
エアマットレスシステムの中央制御装置において、ユーザが前記エアマットレスシステムのマットレス上に存在するかどうかを判定する前記段階が、
圧力センサを介して総圧力変化を検出する段階を含む、請求項1に記載の方法。
【請求項３】
前記タイマが第1タイマであって、前記方法は、
前記ユーザが前記マットレス上に既に存在しないという判定に応答して第2タイマを開始する段階と、
前記第2タイマが時間切れになった後に前記ユーザが前記マットレス上に存在しないという判定に基づいて、前記エアマットレスシステムの前記照明制御機能を使用不能にする段階とをさらに含む、請求項1に記載の方法。
【請求項４】
光のレベルを検出する段階と、
前記検出された光のレベルに応答して、前記エアマットレスシステムの前記少なくとも1つの照明の明るさを調節する段階とをさらに含む、請求項1に記載の方法。
【請求項５】
エアマットレスシステムの中央制御装置において、ユーザが前記エアマットレスシステムのマットレス上に存在するかどうかを判定する前記段階が、
エアマットレスシステムの中央制御装置において、前記システムのどの側部から前記ユーザが出たかを判定する段階と、
前記中央制御装置から、前記エアマットレスシステムの判定された側部に関連付けられた前記システムの少なくとも1つの照明を点灯するための少なくとも1つの命令を伝送する段階とをさらに含む、請求項1に記載の方法。
【請求項６】
エアマットレスシステムの中央制御装置において、前記システムのどの側部から前記ユーザが出たかを判定する前記段階が、
圧力センサを介して総圧力変化を検出する段階を検出する、請求項5に記載の方法。
【請求項７】
ベッドシステムであって、
膨張式エアマットレスと、
調節可能な基礎と、
中央制御装置であって、
ポンプと、
ユーザが前記エアマットレスシステムのマットレス上に存在するかどうかを判定し、
前記ユーザが前記マットレス上に存在するという判定に応答してタイマを開始し、
前記タイマが時間切れになった後に前記ユーザが前記マットレス上に存在するという判定に基づいて、前記エアマットレスシステムの照明制御機能を使用可能にし、
前記照明制御機能を使用可能にした後に、前記ユーザが前記マットレス上に既に存在しないという判定に応答して、前記中央制御装置から、前記エアマットレスシステムの少なくとも1つの照明を点灯するための少なくとも1つの命令を伝送するよう構成されたプロセッサとを含む中央制御装置とを含む、システム。
【請求項８】
ユーザが前記エアマットレスシステムのマットレス上に存在するかどうかを判定するよう構成された前記プロセッサは、
圧力センサを介して総圧力変化を検出するよう構成されている、請求項7に記載のシステム。
【請求項９】
前記タイマが第1タイマであって、前記プロセッサは、
前記ユーザが前記マットレス上に既に存在しないという判定に応答して第2タイマを開始し、
前記第2タイマが時間切れになった後に前記ユーザが前記マットレス上に存在しないという判定に基づいて、前記エアマットレスシステムの前記照明制御機能を使用不能にするようさらに構成されている、請求項7に記載のシステム。
【請求項１０】
少なくとも1つの光センサをさらに含み、
前記プロセッサは、
前記少なくとも1つの光センサにより受け取られた光のレベルを検出し、
前記検出された光のレベルに応答して、前記エアマットレスシステムの前記少なくとも1つの照明の明るさを調節するようさらに構成されている、請求項7に記載のシステム。
【請求項１１】
ユーザが前記エアマットレスシステムのマットレス上に存在するかどうかを判定するよう構成された前記プロセッサは、
前記システムのどの側部から前記ユーザが出たかを判定し、
前記エアマットレスシステムの判定された側部に関連付けられた前記システムの少なくとも1つの照明を点灯するための少なくとも1つの命令を伝送するようさらに構成されている、請求項7に記載のシステム。
【請求項１２】
前記システムのどの側部から前記ユーザが出たかを判定するよう構成された前記プロセッサは、
圧力センサを介して総圧力変化を検出するよう構成されている、請求項10に記載のシステム。
【請求項１３】
前記エアマットレスシステムのユーザの睡眠状態を特定する段階と、
前記ユーザが睡眠中であるという判定に基づいて、前記エアマットレスシステムの照明制御機能を使用可能にする段階と、
前記照明制御機能を使用可能にした後に、前記ユーザが前記マットレス上に既に存在しないという判定に応答して、前記中央制御装置から、前記エアマットレスシステムの少なくとも1つの照明を点灯するための少なくとも1つの命令を伝送する段階とを含む、方法。
【請求項１４】
ベッドシステムであって、
膨張式エアマットレスと、
調節可能な基礎と、
音声制御装置と、
前記ユーザから前記音声制御装置を介して音声コマンドを受信するよう構成された中央制御装置と、
ポンプと、
前記エアマットレス及び前記調節可能な基礎の少なくとも一方の一側面を、前記受信された音声コマンドに基づいて制御する少なくとも1つの制御信号を特定するよう構成されたプロセッサとを含む、システム。
【請求項１５】
前記少なくとも1つの制御信号が、前記エアマットレスの温度と、前記調節可能な基礎の姿勢と、前記エアマットレスの硬さの1つ又は複数を制御する、請求項14に記載のシステム。
【請求項１６】
前記調節可能な基礎の前記姿勢は、前記調節可能な基礎の頭部の位置を含む、請求項15に記載のシステム。
【請求項１７】
前記調節可能な基礎の前記姿勢は、前記調節可能な基礎の足部の位置を含む、請求項15に記載のシステム。
【請求項１８】
少なくとも1つの照明をさらに含み、前記少なくとも1つの制御信号が前記少なくとも1つの照明を制御する、請求項14に記載のシステム。
【請求項１９】
少なくとも1つの切換可能な電気コンセントをさらに含み、前記少なくとも1つの制御信号が前記少なくとも1つの切換可能な電気コンセントを制御する、請求項14に記載のシステム。
【請求項２０】
少なくとも1つのユーザ定義コマンドを格納するよう構成された記憶装置をさらに含み、
前記受信された音声コマンドは、前記少なくとも1つの事前に指定されたユーザ定義コマンドである、請求項14に記載のシステム。
【発明の詳細な説明】
【技術分野】
【０００１】
本願は、ロブ・ナンの「照明及び音声制御装置を備えた膨張式エアマットレス」と題した2013年3月14日付けで提出された米国仮出願第61/781,296号の優先権の利益を主張し、その開示全体はここに引用して援用する。
【０００２】
相互参照
本願に記載された主題は次の出願、すなわち、「膨張式エアマットレス警報及び監視システム」と題した2013年3月14日付けで提出された米国出願第61/781,266号(代理人整理番号3500.049PRV)；「膨張式エアマットレスシステムアーキテクチャ」と題した2013年3月14日付けで提出された米国出願第61/781,503号(代理人整理番号3500.050PRV)；「膨張式エアマットレスオートフィル及びオフベッド圧力調節」と題した2013年3月14日付けで提出された米国出願第61/781,541号(代理人整理番号3500.051PRV)；「膨張式エアマットレス睡眠環境調節及び提案」と題した2013年3月14日付けで提出された米国出願第61/781,571号(代理人整理番号3500.052PRV)；「膨張式エアマットレスいびき検出及び応答」と題した2013年3月14日付けで提出された米国出願第61/782,394号(代理人整理番号3500.053PRV)；「検出技法を備えた膨張式エアマットレスシステム」と題した2013年3月14日付けで提出された米国出願第61/781,311号(代理人整理番号3500.055PRV)に開示された主題に関する。上述した米国特許出願それぞれの内容は、その全体をここに引用して援用する。
【０００３】
本特許文書は概してマットレスに関し、より詳細には、限定する訳ではないが膨張式エアマットレスシステムに関する。
【背景技術】
【０００４】
その開示全体をここに引用して援用する米国出願第5,904,172号で記載されたもののようなエアベッドシステムでは、概して、ユーザはマットレス内部の各エアチャンバの所望の圧力を選択できる。所望の圧力を選択すると、エアブラダー内部で所望の圧力を概ね達成するため、必要に応じてエアブラダーを膨張又は収縮させるように、信号がポンプ/バルブ組立体に送られる。
【０００５】
様々な例では、エアマットレス制御システムにより、ユーザはエアマットレスベッドの硬さ又は姿勢を調節できる。マットレスは2つ以上の区画を備えることができるので、マットレスの左右の側部を異なる硬さレベルに調節できる。さらに、ベッドを異なる姿勢に調節可能である。例えば、ベッドの足部区分が所定位置を維持している状態で、ベッドの頭部区分を持ち上げることができる。様々な例では、2つの別々の遠隔制御装置を用いて姿勢及び硬さがそれぞれ調節される。
【図面の簡単な説明】
【０００６】
次の添付図面では、幾つかの実施形態が限定目的でなく例示目的で示されている。
【図１】図1は、一例によるエアベッドシステムの概略図である。
【図２】図2は、一例による図1のエアベッドシステムの様々な構成要素のブロック図である。
【図３】図3は、一例によるエアベッドシステムアーキテクチャのブロック図である。
【図４】図4は、コンピュータシステムという例示的な形式の機械のブロック図であり、この内部では、本明細書で記載する方法の1つ又は複数をこの機械に行わせるための一組命令が実行される。
【図５】図5は、本開示の様々な技法によるベッドシステムの自動照明制御の例示的な方法を示すフローチャートである。
【図６】図6は、本開示の様々な技法によるベッドシステムの自動照明制御の別の例示的な方法を示すフローチャートである。
【図７】図7は、ベッドシステムに音声制御機能を実現する図3の中央制御装置の一例のブロック図である。
【発明を実施するための形態】
【０００７】
図1は、例示的な実施形態におけるエアベッドシステム10の概略図である。システム10はベッド12を含むことができ、これは、弾性縁部16に囲まれると共にベッドティッキング18によって封入されている少なくとも1つのエアチャンバ14を含むことができる。弾性縁部16は、発泡体などの任意適切な材料を含むことができる。
【０００８】
図1に示したように、ベッド12は、第1エアチャンバ14Aと第2エアチャンバ14Bとを備えた2チャンバ設計とすることができる。第1及び第2エアチャンバ14A及び14Bは、ポンプ20により流体連通させることができる。ポンプ20は、コントロールボックス24を介して遠隔制御装置22と電気通信可能である。遠隔制御装置22は、コントロールボックス24と有線又は無線手段を介して通信できる。コントロールボックス24は、遠隔制御装置22を介してユーザにより入力されたコマンドに基づいてポンプを動作させて、第1及び第2エアチャンバ14A及び14Bの流体圧力を増減させるよう構成できる。遠隔制御装置22は、表示装置26と、出力選択手段28と、昇圧ボタン29と、減圧ボタン30とを含むことができる。出力選択手段28によって、ユーザは、ポンプ出力を第1及び第2エアチャンバ14A及び14B間で切り替えできるので、単一の遠隔制御装置22によって複数のエアチャンバの制御が可能となる。例えば、出力選択手段は、物理的制御装置(例えば、スイッチ又はボタン)でもよいし、表示装置26上に表示される入力制御手段でもよい。代替的には、別々の遠隔制御ユニットを各チャンバ用に提供し、それぞれが複数のエアチャンバを制御する機能を含むようにしてもよい。昇圧ボタン29及び減圧ボタン30により、ユーザは、それぞれ出力選択手段28によって選択されたエアチャンバ内の圧力を増大又は減少できる。この選択されたエアチャンバ内の圧力を調節すると、そのエアチャンバの硬さをそれに合わせて調節できる。
【０００９】
図2は、様々な例によるエアベッドシステム10の幾つかの構成要素間のデータ通信を詳述するブロック図である。図2に示したように、コントロールボックス24は、電源34と、プロセッサ36と、メモリ37と、切換手段38と、アクナログ・デジタル(A/D)変換器40とを含むことができる。切換手段38は、例えばリレー又は固体スイッチでよい。切換手段38は、コントロールボックス24でなくポンプ20内に配置できる。
【００１０】
ポンプ20及び遠隔制御装置22は、コントロールボックス24と双方向通信できる。ポンプ20は、モータ42と、ポンプマニホルド43と、安全弁44と、第1制御弁45Aと、第2制御弁45Bと、圧力変換器46とを含むことができ、さらに、第1チューブ48A及び第2チューブ48Bを介してそれぞれ第1エアチャンバ14Ａ及び第2エアチャンバ14Bと流体接続できる。第1及び第2制御弁45A及び45Bは切換手段38により制御でき、さらに、ポンプ20とそれぞれ第1及び第2エアチャンバ14A及び14Bとの間の流体の流れを制御するよう動作可能である。
【００１１】
一例では、ポンプ20及びコントロールボックス24は、単一ユニットとして提供且つ実装できる。代替的には、ポンプ20及びコントロールボックス24は、物理的に別々のユニットとして提供してもよい。
【００１２】
動作時には、電源34は、外部電源から交流110 V電力などの電力供給を受けることができ、この電力をエアベッドシステム10の幾つかの構成要素が必要とする様々な形式に変換する。後に詳述するように、プロセッサ36を用いてエアベッドシステム10の動作に関連付けられた様々な論理シーケンスを制御できる。
【００１３】
図2に示したエアベッドシステム10の例は、2つのエアチャンバ14A及び14Bと単一のポンプ20とを考慮している。しかし、他の例は、2つ以上のエアチャンバ及び1つ又は複数のポンプを組み込んでエアチャンバを制御するエアベッドシステムを含むことができる。一例では、別のポンプをこのエアベッドシステムの各エアチャンバに関連付けるか、或いは、1つのポンプをこのエアベッドシステムの複数チャンバに関連付けてもよい。別々のポンプによって、各エアチャンバが独立して且つ同時に膨張又は収縮可能になる。さらに、追加の圧力変換器をこのエアベッドシステムに組み込んで、例えば、別々の圧力変換器を各エアチャンバに関連付けることができる。
【００１４】
プロセッサ36が減圧コマンドをエアチャンバ14A又は14Bの何れかに送る場合、切換手段38を用いることで、プロセッサ36により送信される低電圧コマンド信号を、ポンプ20の安全弁44を作動し且つ制御弁45A又は45Bを開くのに十分なより高い動作電圧まで変換できる。安全弁44を開くことによって、エアチャンバ14A又は14Bから対応する空気チューブ48A又は空気チューブ48Bを介して空気が流出できる。収縮時に、圧力変換器46は、圧力の読みをA/D変換器40を介してプロセッサ36に送信できる。A/D変換器40はアナログ情報を圧力変換器46から受信でき、そのアナログ情報をプロセッサ36が使用可能なデジタル情報に変換できる。圧力情報をユーザに伝えるため、プロセッサ36は、このデジタル信号を遠隔制御装置22に送信してこの遠隔制御装置上の表示装置26を更新できる。
【００１５】
プロセッサ36が昇圧コマンドを送信する場合、ポンプモータ42を作動させて、対応する弁45A又は45Bの電子的動作によって空気チューブ48A又は48Bを介して指定された空気チャンバに空気を送出できる。指定されたエアチャンバの硬さを増大するためにそのチャンバに空気を送出している間、圧力変換器46はポンプマニホルド43内の圧力を感知できる。この場合も、圧力変換器46は、圧力の読みをA/D変換器40を介してプロセッサ36に送信できる。プロセッサ36はA/D変換器40から受信したこの情報を用いて、エアチャンバ14A又はエアチャンバ14B内の実際の圧力と所望圧力との間の差を求めることができる。 圧力情報をユーザに伝えるため、プロセッサ36は、このデジタル信号を遠隔制御装置22に送信してこの遠隔制御装置上の表示装置26を更新できる。
【００１６】
一般に、膨張又は収縮過程において、ポンプマニホルド43内で感知された圧力は、エアチャンバ内の圧力の近似値を与える。エアチャンバ内の実際の圧力に概ね等しいポンプマニホルドの圧力読みを得るための例示的方法は、ポンプ20を停止し、エアチャンバ14A又は14B及びポンプマニホルド43内の圧力を等しくさせて、ポンプマニホルド43内の圧力を圧力変換器46で感知する。よって、ポンプマニホルド43及びチャンバ14A又は14B内の圧力を等しくするのに十分な時間を与えることで、チャンバ14A又は14B内の実際の圧力の正確な近似値である圧力読みを得ることができる。様々な例では、48A/Bの圧力は複数の圧力センサを使用して連続的に監視される。
【００１７】
一例では、エアチャンバ内の実際の圧力と実質的に等しいポンプマニホルドの圧力読みを得るための別の方法は、圧力調節アルゴリズムの使用を介するものである。一般に、この方法は、エアチャンバ圧力とポンプマニホルド43内で測定される圧力との数学的関係に基づいてエアチャンバ圧力を近似する(膨張サイクル及び収縮サイクルの両方の間)ことにより機能でき、従ってエアチャンバ圧力の実質的に正確な近似値を得るためにポンプ20を停止する必要を排除する。結果的に、エアチャンバ14A又は14B内の所望の圧力設定点は、圧力を均等にするためポンプ20を停止する必要なく達成できる。エアチャンバ圧力とポンプマニホルド圧力との間の数学的関係を用いてエアチャンバ圧力を近似する後者の方法は、その開示全体をここに引用して援用する米国出願第12/936,084号に記載されている。
【００１８】
図3は、例示的なエアベッドシステムアーキテクチャ300を示す。アーキテクチャ300は、例えば膨張式エアマットレスなどのベッド301と、中央制御装置302と、硬さ制御装置304と、関節運動制御装置306と、1つ又は複数の温度センサ309と通信する温度制御装置308と、外部ネットワーク装置310と、遠隔制御装置312、314と、音声制御装置316とを含む。エアベッドとして使用することが記載されているが、このシステムアーキテクチャは他の種類のベッドと共に使用してもよい。
【００１９】
図3に示したように、中央制御装置302は、硬さ制御装置304及びポンプ305を含む。ネットワークベッドアーキテクチャ300は、中央制御装置302と硬さ制御装置304とがハブとして機能し、関節運動制御装置306と、温度制御装置308と、外部ネットワーク装置310と、遠隔制御装置321、314と、音声制御装置316とがスポークとして機能できる星形トポロジーとして構成でき、これらは本明細書では構成要素と呼ぶ。従って、様々な例において、中央制御装置302はこれら様々な構成要素間のリレーとして動作する。
【００２０】
さらに別の例では、中央制御装置302を介して通信(例えば、制御信号)が中継されていないとしても、中央制御装置302は構成要素間の通信を聞き取ろうとする。例えば、遠隔制御装置312を使用して温度制御装置308にコマンドを送信するユーザを想定する。中央制御装置302は、このコマンドを聞き取ろうとし、このコマンドを無効にする命令(例えば、以前の設定と矛盾する場合)が中央制御装置302で格納されているかどうかを確認できる。中央制御装置302は、将来的に使用するため(例えば、構成要素のユーザ選好のパターンを確認するため)このコマンドをログ記録してもよい。
【００２１】
他の例では、異なるトポロジーを使用してもよい。例えば、構成要素及び中央制御装置302は、各構成要素が、中央制御装置302をバイパスして他の構成要素の何れか又はすべてと直接通信できるメッシュネットワークとして構成してもよい。様々な例では、複数トポロジーの組合せを使用してもよい。例えば、遠隔制御装置312は温度制御装置308と直接通信できるが、この通信を中央制御装置302に中継してもよい。
【００２２】
様々な例では、図3に示した各制御装置及び各デバイスは、プロセッサと、記憶装置と、ネットワークインターフェースとを含むことができる。このプロセッサは汎用中央処理装置(CPU)又は特定用途向けIC(ASIC)でよい。記憶装置は、揮発性又は非揮発性の静的記憶装置（例えば、フラッシュメモリ、RAM、EPROMなど）を含むことができる。この記憶装置は、プロセッサにより実行されると、本明細書に記載された機能を実行させるようプロセッサを構成する命令を格納できる。例えば、硬さ制御装置304のプロセッサは、ベッドの圧力を減少させるためのコマンドを安全弁に送信するよう構成できる。
【００２３】
様々な例では、これら構成要素のネットワークインターフェースは、様々な有線及び無線プロトコルで通信を送受信するよう構成できる。例えば、このネットワークインターフェースは、データの送受信のために802.11規格(例えば、802.11a/b/c/g/n/ac)、802.15.4又はブルートゥースなどのPANネットワーク規格、赤外線、セルラー式規格(例えば、3G/4G etc.)、イーサネット（登録商標）、USBを使用するよう構成できる。上記のリストはすべてを網羅することを意図したものでなく、他のプロトコルを使用してもよい。図3のすべての構成要素は同一のプロトコルを使用するよう構成する必要はない。例えば、遠隔制御装置312はブルートゥースを介して中央制御装置302と通信できる一方で、温度制御装置308及び関節運動制御装置306は802.15.4を使用して中央制御装置に接続される。図3内で、稲妻コネクタは無線接続を表し、実線は有線接続を表すが、これら構成要素間の接続はこうした接続に限定されるものでなく、各接続は無線又は有線でよい。例えば、音声制御装置316は中央制御装置302に無線接続できる。
【００２４】
さらに、様々な例では、任意構成要素のプロセッサ、記憶装置、及びインターフェースは、コマンドを実行するのに使用される様々な要素とは異なる位置に配置できる。例えば、図1に示したように、硬さ制御装置302が備えるポンプは、そのポンプを制御するため使用されるプロセッサとは別個の筐体に収容されていてもよい。要素間のこれに類似した分離を図3の他の制御装置及びデバイスに用いてもよい。
【００２５】
様々な例では、硬さ制御装置304は、エアマットレス内の圧力を調節するよう構成されている。例えば、硬さ制御装置304は、図2を参照して説明したようなポンプ（例えば、ポンプ20を参照のこと）を含むことができる。従って、一例では、硬さ制御装置304は、エアマットレス内の圧力を増加又は減少させるコマンドに応答できる。これらコマンドは別の構成要素から受信してもよいし、硬さ制御装置304の一部である格納されたアプリケーション命令に基づいていてもよい。
【００２６】
図3に示したように、中央制御装置302は硬さ制御装置304を含んでいる。従って、一例では、中央制御装置302及び硬さ制御装置304のプロセッサは同一のプロセッサでよい。さらに、ポンプも中央制御装置302の一部としてもよい。従って、中央制御装置302は、圧力調節及び本開示の別の部分で記載されている他の機能を担当できる。
【００２７】
様々な例では、関節運動制御装置306は、ベッド（例えば、ベッド301）を支持する基礎307を調節することでベッドの姿勢を調節するよう構成されている。一例では、2つの異なるベッド（例えば、互いに隣接した2つのツインベッド）に別々の姿勢を設定できる。基礎307は、例えば頭部318及び足部320などの別々に調節できる2つ以上の区画を含むことができる。関節運動制御装置306は、ベッド上の人に異なるレベルのマッサージを与えるように構成してもよい。
【００２８】
様々な例では、温度制御装置308は、ユーザの体温を上昇、低下、又は維持するよう構成されている。例えば、パッドをエアマットレスの上部に配置又はその一部としてもよい。ベッドのユーザを冷やすため、空気をこのパッドに通過且つ排気させることができる。反対に、このパッドは、ユーザを暖かくしておくために使用できる加熱要素を含むことができる。幾つかの例では、このパッドは温度センサ309を含み、温度制御装置308が温度センサ309から温度の読みを受信する。他の例では、温度センサ309は、エアマットレス又は基礎の一部とするなど、パッドから分離してもよい。
【００２９】
幾つかの例では、付加的な制御装置が中央制御装置302と通信できる。これら制御装置は、ベッドに又はその周囲に配置された照明要素を点灯及び消灯するための照明制御装置と、1つ又は複数の電気コンセントへの電力を制御するためのコンセント制御装置とを含むことができるが、それらに限定されない。
【００３０】
様々な例では、外部ネットワーク装置310と、遠隔制御装置312、314と、音声制御装置316とを用いて、アーキテクチャ300の1つ又は複数の構成要素を制御するためのコマンド（例えば、ユーザ又は遠隔システムからの）を入力できる。これらコマンドは制御装置312、314、又は316の何れかから伝送され、中央制御装置302で受信できる。中央制御装置302はこのコマンドを処理して、受信されたコマンドを送る適切な構成要素を特定できる。例えば、制御装置312、314、又は316の何れかを介して送信された各コマンドは、そのコマンドがどの構成要素のためのものかを示すヘッダ又は他のメタデータを含むことができる。これにより、中央制御装置302は、中央制御装置302のネットワークインターフェースを介してこのコマンドを適切な構成要素に伝送できる。
【００３１】
例えば、ユーザは、ユーザのベッドの所望温度を遠隔制御装置312に入力できる。この所望の温度は、温度を含むコマンドデータ構造であって、温度制御装置308を制御すべき所望の構成要素であると確認するコマンドデータ構造にカプセル化できる。すると、このコマンドデータ構造は、ブルートゥースを介して中央制御装置302に伝送できる。様々な例では、このコマンドデータ構造は伝送前に暗号化される。中央制御装置302はこのコマンドデータ構造を構文解析し、そのコマンドを温度制御装置308にPANを用いて中継できる。すると、温度制御装置308はその要素を構成して、遠隔制御装置312に元々入力されている温度に基づいてパッドの温度を上昇又は低下させることができる。
【００３２】
様々な例において、データが構成要素からこれら遠隔制御装置のうち1つ又は複数に返信できる。一例として、例えば温度センサ309などの温度制御装置308のセンサ要素により求められた現在の温度、ベッドの圧力、基礎の現在の姿勢、又はその他の情報を中央制御装置302に伝送できる。すると、中央制御装置302は受信した情報を伝送し、それをユーザに表示できる遠隔制御装置312に伝送できる。
【００３３】
様々な例では、多種類の装置を用いてアーキテクチャ300の構成要素を制御するためのコマンドを入力できる。例えば、遠隔制御装置312は、アプリケーションを実行するスマートフォン又はタブレットコンピュータなどのモバイル装置でよい。遠隔制御装置312の他の例には、本明細書に記載された構成要素と相互作用する専用装置が含まれる。様々な例では、遠隔制御装置312/314は、ユーザにインターフェースを表示するための表示装置を含んでいる。遠隔制御装置312/314は、1つ又は複数の入力装置を含むことができる。入力装置は、キーパッド、タッチスクリーン、ジェスチャー、動作、及び音声制御装置を含むことができるが、それらに限定されない。
【００３４】
遠隔制御装置314は、マットレスアーキテクチャの1つの構成要素と相互作用するよう構成された単一の遠隔制御装置とすることができる。例えば、遠隔制御装置314は、エアマットレスの圧力を増加又は減少させる入力を受け取るよう構成できる。音声制御装置316は、1つ又は複数の構成要素を制御するための音声コマンドを受け取るよう構成できる。様々な例では、遠隔制御装置312/314及び音声制御装置316の1つ又は複数を使用できる。
【００３５】
遠隔制御装置312に関しては、アプリケーションは1つ又は複数の中央制御装置と対になるように構成できる。各中央制御装置に関しては、この中央制御装置とリンクされた構成要素のリストを含むデータを、モバイル装置に伝送できる。例えば、遠隔制御装置312が携帯電話であって、アプリケーションが認証され、且つ中央制御装置302と対にされた場合を考慮する。遠隔制御装置312は、他の構成要素及び利用可能なサービスを問い合わせるために中央制御装置302に発見要求を伝送できる。それに応答して、中央制御装置302は、ベッドの硬さ、ベッドの姿勢、及びベッドの温度を調節するために利用可能な機能を含むサービスのリストを伝送できる。様々な実施形態では、すると、アプリケーションはエアマットレスの圧力を増加/減少させ、ベッドの姿勢を調節し、且つ温度を調節するための機能を表示できる。中央制御装置302の制御下にあるこのアーキテクチャに構成要素が付加/除去された場合、更新済みリストを遠隔制御装置312に伝送でき、それに従ってアプリケーションのインターフェースを調整できる。
【００３６】
様々な例では、中央制御装置302は、アーキテクチャ300の構成要素へのソフトウェア更新の配布器として構成されている。例えば、温度制御装置308のファームウェア更新が利用可能となることがある。この更新は中央制御装置302の記憶装置にロードできる(例えば、USBインターフェースを介して又は無線技法を使用して)。無線の応用例では、中央制御装置302は、例えばWiFiから又はブルートゥースを介してモバイル接続からのクラウドから更新を受信できる。すると、中央制御装置302は、更新するための命令と共にこの更新を温度制御装置308に伝送できる。温度制御装置308はこの更新のインストールを試行できる。この更新の成功又は失敗を示す状態メッセージを温度制御装置308から中央制御装置302に伝送できる。
【００３７】
様々な例では、中央制御装置302は、圧力変換器(例えば、図2における変換器46)により収集されたデータを分析して、ベッドに寝ている人の様々な状態を特定するよう構成されている。例えば、中央制御装置302は、ベッドに寝ている人の心拍数又は呼吸数を算出できる。収集されたデータを使って付加的な処理を実行してこの人の可能な睡眠状態を特定できる。例えば、中央制御装置302は人が眠りに就いたときと、睡眠中のこの人の様々な睡眠状態とを特定できる。
【００３８】
様々な例では、外部ネットワーク装置310は、アーキテクチャ300の構成要素に関連したデータを処理又は格納するための外部サーバと相互作用するネットワークインターフェースを含む。例えば、上述したように求められた睡眠データはネットワーク（例えばインターネット）を介して中央制御装置302から外部ネットワーク装置310に格納のため伝送できる。一例では、圧力変換器のデータを付加的な分析のために外部サーバに送信してよい。外部ネットワーク装置310は、データを外部サーバに伝送する前に分析し、フィルタリングしてもよい。
【００３９】
一例では、構成要素の診断データも、外部サーバでの格納及び診断のため外部ネットワーク装置310に転送してよい。例えば、温度制御装置308が異常な温度読み（例えば、設定閾値を上回る1分間での温度低下）を検出した場合、診断データ（センサ読み、現在の設定など）を温度制御装置308から中央制御装置302に無線送信できる。すると中央制御装置302は、このデータを外部ネットワーク装置310にUSBを介して伝送できる。外部装置310はこの情報を、この情報が分析のため外部サーバに転送されるWLANアクセスポイントに無線送信できる。
【００４０】
一例では、ベッドシステム300は、例えばユーザがベッド301から出たときに部屋の一部を照明する1つ又は複数の照明322A-322F（本開示では一括して「照明322」と呼ぶ）を含むことができる。照明322は、例えば、基礎307の外周部に沿って固定するなど、基礎の周りに取り付け可能である。図3では、照明322は、基礎307の2つの側部の周りに延伸していることが示されている。他の構成では、照明322は、基礎307の3つの側部以上の周り又は1つの側部のみに沿って延伸できる。例示的な一実装例では、照明322は、基礎307から光を外側に投射するように、基礎307の下に配置できる。
【００４１】
例示的な機械アーキテクチャ及び機械可読媒体
図4は、コンピュータシステム400という例示的形式の機械のブロック図であり、この内部では、本明細書で記載する方法の1つ又は複数をこの機械に行わせるための命令が実行される。代替的な実施形態では、この機械は独立型装置として動作するが、他の機械に接続（例えば、ネットワーク接続）されていてもよい。ネットワーク接続された導入例では、この機械はサーバ/クライアントネットワーク環境におけるサーバ又はクライアントマシンとして動作でき、或いはピアツーピア（又は分散型）ネットワーク環境におけるピアマシンとして動作できる。この機械は、パーソナルコンピュータ(PC)、タブレットPC、セットトップボックス(STB)、携帯型情報端末(PDA)、携帯電話、ウェブアプライアンス、ネットワークルータ、スイッチ若しくはブリッジ、又はその機械が行うべき動作を指定する命令(順次又はそれ以外の)を実行できる任意の機械でよい。さらに、単一の機械のみを例示したが、「機械」という用語は、本明細書で説明する1つ又は複数の方法を実行するための一組の(又は複数組の)命令を個別又は共同で実行する複数機械の任意収集体を含むものとも解釈すべきである。
【００４２】
例示的なコンピュータシステム400は、バス408を介して互いに通信するプロセッサ402(例えば、中央演算装置(CPU)、画像処理装置(GPU)、ASIC、又は組合せ)と、主記憶装置404と、静的記憶装置406とを含む。コンピュータシステム400は、ビデオ表示装置410(例えば、液晶表示装置(LCD)又はブラウン管(CRT))も含むことができる。コンピュータシステム400は、英数字入力装置412（例えば、キーボード及び/又はタッチスクリーン）と、ユーザインターフェース(UI)ナビゲーション装置414（例えば、マウス）と、ディスクドライブユニット416と、信号生成装置418（例えば、スピーカ）と、ネットワークインターフェース装置420も含むことができる。
【００４３】
機械可読媒体
ディスクドライブユニット416は機械可読媒体422を含み、その媒体では、本明細書で説明する1つ又は複数の方法又は機能を実現し又はそれらに利用される1つ又は複数の組の命令及びデータ構造（例えばソフトウェア）424が格納されている。命令424は、機械可読媒体を構成するコンピュータシステム400、主記憶装置404、及びプロセッサ402によるその命令の実行時に、主記憶装置404及び/又はプロセッサ402内に完全に又は少なくとも部分的に常駐できる。
【００４４】
機械可読媒体422は例示的な実施形態では単一の媒体として示したが、「機械可読媒体」という用語は、1つ若しくは複数の命令又はデータ構造体を格納する単一の媒体又は複数の媒体（例えば、集中若しくは分散型データベース並びに/又は関連付けられたキャッシュ及びサーバ）を含むことができる。「機械可読媒体」という用語は、機械により実行される命令を格納、符号化、又は保持可能な有形媒体であって、その機械に本発明の1つ又は複数の方法を実行させる任意の有形媒体か、或いはそうした命令に利用される又は関連付けられたデータ構造を格納、符号化、又は保持可能な任意の有形媒体を含むものとも解釈すべきである。従って、「機械可読媒体」という用語は、半導体メモリ並びに光学及び磁気媒体を含むがそれらに限定されないと理解すべきである。機械可読媒体の具体的な例は、消去可能なプログラマブル読出し専用メモリ（EPROM）、電気的消去書込み可能な読出し専用メモリ（EEPROM）、及びフラッシュメモリ装置などの半導体記憶装置；内部ハードディスク又はリムーバルブディスクなどの磁気ディスク；光磁気ディスク；並びにCD-ROM及びDVD-ROMディスクを例示的に含む不揮発性記憶装置を含む。
【００４５】
伝送媒体
さらに、命令424は、伝送媒体を用いて通信ネットワーク426を介して伝送又は受信できる。命令424は、ネットワークインターフェース装置420及び多くの周知の転送プロトコル（例えばHTTP）の何れかを使用して伝送すればよい。通信ネットワークの例には、ローカルエリアネットワーク（「LAN」）、ワイドエリアネットワーク（「WAN」）、インターネット、携帯電話ネットワーク、普通の電話サービス(POTS)ネットワーク、及び無線データネットワーク(例えば、WiFi及びWiMaxネットワーク)が含まれる。「伝送媒体」という用語は、機械により実行される命令を格納、符号化、又は保持可能な無形媒体を含み、そうしたソフトウェアの通信を促進するためのデジタル若しくはアナログ通信信号又は他の無形媒体を含むものと理解すべきである。
【００４６】
照明制御技法
上述の技法に加え、本開示は、ベッドシステム300に関連付けられた照明322などの照明を自動的に制御する技法に関する。後に詳述するように、ベッドシステム300は、ユーザがベッド301を出ると、例えばベッドの基礎307の下に位置した1つ又は複数の照明322を自動的に明るくすることができる。例えば、ユーザが夜間に目覚めてベッドから出ると、ベッドシステム300の1つ又は複数の照明322が点灯し、指定された時間にわたり又はユーザがベッドに戻るまで点灯し続ける。
【００４７】
例示的な一例では、ベッドシステム300の自動照明制御機能は通常は動作不能（すなわちオフ）となっているが、中央制御装置302が、例えば指定された時間の長さにわたってユーザがベッド301に入っていると判断すると動作可能（すなわちオン）となるようにしてもよい。例えば、ユーザがベッド301に入ると、中央制御装置302はユーザの存在を検出し、10分、20分、30分、1時間などの指定時間を備えたタイマ324を開始できる。中央制御装置302は、タイマ324が時間切れになったときにユーザがまだベッドに入っていると判定すると、中央制御装置302は、ベッドシステム300の自動照明制御機能を使用可能にできる。存在検出に加えて指定された時間の長さを備えたタイマを含むことで、例えば自分の靴ひもを縛るためユーザがベッドに座りそして立ち上がった後に、照明が意図しないで点灯することを防止できる。
【００４８】
例示的な一実装例では、中央制御装置302は、総圧力変化及び/又は瞬間圧力変化を介してユーザの存在を検出できる。幾つかの例では、存在は既知の生体測定信号の検出を介して確認できる。例えば、中央制御装置302及び圧力変換器46（図2の）を用いてベッド301のエアマットレス内の空気圧を監視できる。ユーザがこのエアマットレスの上に座るか横たわると、ユーザの付加的な重さによってエアマットレス内の空気圧が例えば増大するなどして変化し、総圧力変化を引き起こす。中央制御装置302は、総圧力変化に基づいて、ユーザが例えば一定の時間にわたりベッド上にいるのかどうかを判断できる。一例として、例えば1-10分にわたり圧力変化率を算出し且つ算出した変化率を閾値と比較することで、中央制御装置はユーザが現在ベッドにいるのかどうかを判断できる。
【００４９】
この自動照明制御機能が使用可能であることを、ベッドシステム300の照明を点灯する前提条件とすることができる。ベッドシステム300の自動照明制御機能が使用可能になれば、中央制御装置302はユーザが既にベッド301にいないと判断すると、中央制御装置302は照明322を自動的に点灯できる。例えば、ユーザのために部屋を照明するには（この機能が使用可能状態となっている場合）、中央制御装置302は、例えば上述した総圧力変化技法を用いてユーザが既にベッドにいないことを検出でき、次に照明322を点灯できる。
【００５０】
例示的な一実装例では、中央制御装置302は、ユーザがベッド301から出たときにどの照明322を照光すべきかを総圧力変化に基づいて判断できる。すなわち、中央制御装置302は、ユーザがベッド301のどちらの側部から出たかを判定し、ベッドシステム300のその側部に関連付けられた1つ又は複数の照明322を選択的に照光できる。具体的な例として、ユーザが図3のベッド301の左側から離れた場合、中央制御装置302は、例えばベッド301の右側に存在しうる照明322（図3には示されていない）を照光する替わりに、照明322A-322Cを選択的に照光できる。幾つかの例では、中央制御装置302は、選択的に照光されたベッドの特定の側部の照明に加えて、照明322D-322Fなどの他の照明も照光できる。
【００５１】
幾つかの例示的な実装例では、ベッドシステム300は、中央制御装置302と通信する1つ又は複数の光センサ326を含むことができる。ユーザが既にベッドにいないことを例えば総圧力変化を介して検出すると、中央制御装置302は、1つ又は複数の光センサ326により受信された信号に基づいて照明322の明るさを制御できる。こうした方法で、中央制御装置302は、部屋の照明状態を用いて照明322を暗くしたり、明るくしたりできる。
【００５２】
中央制御装置302は、例えば総圧力変化を介してユーザがベッドから出たと判断すると、例えば10分、20分、30分、1時間などの指定された時間の長さを備えたタイマを開始できる。中央制御装置302は、タイマ324が時間切れになったときにユーザがまだベッドの外にいると判断すると、中央制御装置302はベッドシステム300の自動照明制御機能を使用不能にできる。
【００５３】
別の例示的な例では、ベッドシステム300の自動照明制御機能は通常は動作不能（すなわちオフ）となっているが、中央制御装置302が、例えば指定された時間の長さにわたってユーザがベッド301で眠っていると判断すると動作可能（すなわちオン）となるようにしてもよい。例えば、ユーザがベッド301に入ると、中央制御装置302は、例えば、目覚めているのか、急速眼球運動(「REM」)か、ノンレム睡眠(「NREM」)かなどのユーザの睡眠状態を特定することによってユーザが睡眠中かを判断できる。中央制御装置302は、ユーザの心拍数、呼吸、及び/又は動きなどの様々な生体測定信号を用いることでユーザの睡眠状態を特定できる。心拍数情報、呼吸数情報、及び他のユーザ情報を用いてユーザの睡眠を監視するための技法は、その開示全体をここに引用して援用する、「生命徴候を監視するための装置」と題したスティーブン・ジェイ・ヤング等の米国特許公開出願第20100170043号に開示されている。中央制御装置302によりユーザがまだ眠っていると判断されると、中央制御装置302は、ベッドシステム300の自動照明制御機能を使用可能にできる。
【００５４】
幾つかの例において、この自動照明制御機能が使用可能であることを、ベッドシステム300の照明322を点灯する前提条件とすることができる。ユーザが眠っているとの判断に基づいてベッドシステム300の自動照明制御機能が使用可能になれば、中央制御装置302はユーザが既にベッド301にいないと判断すると、中央制御装置302は照明322を自動的に点灯できる。例えば、ユーザのために部屋を照明するには（この機能が使用可能状態となっている場合）、中央制御装置302は、例えば上述した総圧力変化技法を用いてユーザが既にベッドにいないことを検出でき、次に照明322を点灯できる。
【００５５】
中央制御装置302は、例えば総圧力変化を介してユーザがベッドから出たと判断すると、例えば10分、20分、30分、1時間などの指定された時間の長さを備えたタイマを開始できる。中央制御装置302は、タイマが時間切れになったときにユーザがまだベッドに戻っていないと判断すると、中央制御装置302はベッドシステム300の自動照明制御機能を使用不能にできる。
【００５６】
図5は、本開示の様々な技法によるベッドシステムの自動照明制御の例示的な方法を示すフローチャートである。図5では、中央制御装置302は、ユーザがベッドに入っているかどうかを判断する（500）。例えば、中央制御装置302は、図2の圧力変換器46から受信された圧力信号を用いることで、総圧力の変化を使用してユーザが存在するかを判断できる。
【００５７】
中央制御装置302によってユーザが存在すると判断されると、中央制御装置302は、指定された時間の長さを備えたタイマ324を開始できる（502）。タイマ324が時間切れになると、中央制御装置302は、ユーザがまだベッド301に存在するかどうかを判断する。中央制御装置302は、タイマ324が時間切れになったときにユーザがまだベッドに入っていると判断すると、中央制御装置302はこの判断に基づいてベッドシステム300の自動照明制御機能を使用可能にできる(504)。しかし、中央制御装置302は、タイマ324が時間切れになったときにユーザがベッドに入っていないと判断すると、中央制御装置302はベッドシステム300の自動照明制御機能を使用可能にしない。ベッドシステム300の自動照明制御機能を使用可能にすれば、中央制御装置302はユーザが既にベッド301にいないと判断すると、中央制御装置301は1つ又は複数の照明322を自動的に点灯できる(506)。こうした方法で自動照明制御機能が提供される。
【００５８】
図6は、本開示の様々な技法によるベッドシステムの自動照明制御の別の例示的な方法を示すフローチャートである。図6では、中央制御装置302は、例えば、心拍数情報、呼吸数情報、及び/又は他のユーザ情報を用いてユーザがベッドで眠っているかどうかを判断する（600）。中央制御装置302によりユーザがまだ眠っていると判断されると、中央制御装置302は、その判断に基づいてベッドシステム300の自動照明制御機能を使用可能にできる(602)。
【００５９】
ベッドシステム300の自動照明制御機能が使用可能になれば、中央制御装置302は、例えば総圧力変化情報を介してユーザが既にベッド301にいないと判断すると、中央制御装置301は、1つ又は複数の照明322を自動的に点灯できる(604)。こうした方法で自動照明制御機能が提供される。
【００６０】
上述の自動照明制御技法に加えて、幾つかの例では、ベッドシステム300は、ユーザが存在するかを判断でき、一組の優先又は学習規則に基づいて様々な機能を実行できる。一例によれば、ベッドシステム300は、ベッドに入ること又は出ることに基づいて照明を点灯/消灯できる。
【００６１】
別の例では、これら照明は、ベッド及び/又はその家の別の部屋に組み込み可能である。ベッドを出たこと及び光センサによる部屋が暗くなったことの検出に基づいて、このベッドシステムは規則を調べ、例えば室内灯、玄関灯、浴室灯などの内で、どの照明を点灯するかを判断できる。幾つかの例では、このベッドシステムは「ベッドから出た」というメッセージを、このユーザの情報に関連付けられた規則を調べる1つ又は複数のクラウドサーバ伝送でき、こうしたサーバは、適切な照明を点灯するためのベッドシステムへの命令とともにその家にメッセージを返信する。幾つかの例では、そうしたベッドシステムは、子供がベッドを出たときを検出し、それに応答してその子供が家の中を移動する助けとなるように様々な照明を点灯するために使用できる。
【００６２】
別の例では、ベッドシステム300は、ユーザが睡眠中であることを例えば体の動きを介して特定でき、それに応答して、家のサーモスタットに例えば温度を10度下げるための信号を伝送できる。
【００６３】
別の例では、このベッドシステムは、例えば体の動きとユーザがREM睡眠から脱したことを示す生体測定信号の検出とを介して、ユーザが朝目覚めつつあることを検出し、選好規則に基づいてコーヒーメーカーに開始信号を送ることができる。
【００６４】
幾つかの例では、優先又は学習規則は、異なる曜日又は日付のための規則を含むことができる。例えば、ごみ収集車がやって来る日には、回収車が現れる前に家の自動窓を閉じるメッセージを午前中に送る規則があってもよい。
【００６５】
クラウドサーバの分散型性質によって、学習され又は選好よって設定される多くの異なる規則が可能となる。
【００６６】
幾つかの例では、このベッドシステムは、部屋及び/又はベッドの温度を検出し、それに応答してその部屋又は家の自動窓を開き又は締めるよう制御できる。
【００６７】
例示的な一実装例では、中央制御装置302は、例えばマットレス上又は内部に配置された1つ又は複数の温度センサを用いるなど、マットレスで検出される温度変化を用いてユーザの存在を検出できる。これら温度センサ及び中央制御装置302は、例えば指定された時間にわたる温度上昇を検出し、ユーザがベッドに入っていると判断できる。例えば、中央制御装置302が温度上昇を検出し、検出された温度上昇がシステムの温度制御装置308により引き起こされたものでないと判断すると、中央制御装置302はユーザが存在すると判断できる。
【００６８】
音声制御技法
上述の技法に加え、本開示は、ベッドシステム300の様々な側面を制御する音声制御（又はコマンド）技法に関する。本開示の1つ又は複数の技法を用いることで、音声制御装置316から受信された音声コマンドを使用して、ベッドシステムの膨張式エアマットレスの圧力、調節可能な基礎の姿勢、基礎の下にある照明、温度、関節運動、切換可能な電気コンセント、及びユーザ事前設定（例えば、優先設定）を制御又は調節できる。
【００６９】
図7は、ベッドシステムで音声制御機能を実現する図3の中央制御装置の一例のブロック図である。図7の中央制御装置302の例は、アナログ・デジタル(A/D)変換器328と、プロセッサ330と、音声分析モジュール332と、記憶装置334とを含むことができる。ユーザがベッドシステム300の機能を制御するためのコマンドを発すると、この発語を表すアナログ信号が音声制御装置316を介して中央制御装置302により受信される。A/D変換器328はこのアナログ信号を受信且つサンプリングし、各サンプルをデジタル値に変換することによってデジタル信号を生成する。音声分析モジュール332及び記憶装置334を介して、プロセッサ330は、このデジタル信号に基づいて、ベッドシステム300に対するどのコマンドがユーザによって発せられたかを特定できる。例えば、記憶装置334は、例えば、温度、関節運動、マッサージ（振動）、硬さ、照明、1つ又は複数の切換可能な電気コンセントなどのベッドシステム300の様々な機能の1つ又は複数の側面を制御するための制御信号を生成するために使用できるデータをそれぞれが表す1つ又は複数の項目を含むことができる。幾つかの例では、アナログ信号を音声分析のため1つ又は複数のクラウドに基づいたサーバに送信し、その後、任意のコマンドが制御装置302に返送されるようにしてもよい。
【００７０】
このデジタル信号を受信すると、プロセッサ330は音声分析モジュール332を介して、このデジタル信号を記憶装置334に格納された項目と比較できる。この比較がデジタル信号と格納された項目との一致を出力すると、中央制御装置302は、例えば格納された項目を制御信号情報に関連付けるルックアップテーブル又は他のデータ構造を使用することで、この格納された項目を用いて制御信号を発生できる。
【００７１】
具体的な例として、ユーザは、「頭部を上げる」と言うことができる。音声制御装置316は、この信号を中央制御装置302のA/D変換器328に伝送でき、すると、その変換器がこの信号をデジタル化する。プロセッサ330は、このデジタル信号を記憶装置334内の様々な制御データ項目と比較するための命令を、音声認識モジュール332を介して実行する。一致を確認すると、プロセッサ330は、その一致項目に関連付けられた制御信号情報を特定する。すると、特定された制御信号情報を用いて、プロセッサ330は、基礎307の頭部318の高さを関節運動制御装置306を介して例えば所定量だけ増大させる制御信号を中央制御装置302に発生させる。
【００７２】
さらに、ユーザは、音声制御を用いて例えば「ユーザの好み」又は事前設定などの事前に格納された優先設定を制御できる。これら優先設定は、例えば、温度、関節運動、マッサージ、硬さ、照明などのベッドシステム300の様々な機能の1つ又は複数の側面を含むことができる。
【００７３】
具体的な一例として、ユーザは、例えば遠隔制御装置312、314の一方を介して、ベッドシステム300の所望の温度、硬さ、頭部の位置、切換可能な電気コンセント336に差し込まれたランプを含む、音声コマンドの「読書事前設定」に関連付けられた優先設定を格納できる。優先設定が格納された後は、ユーザは音声コマンドの「読書」を発することができ、上述の技法を用いて、中央制御装置302は、温度制御装置308、硬さ制御装置、及び関節運動制御装置306を介してそれぞれ温度、硬さ、頭部の位置を調節する制御信号を生成し、切換可能な制御可能電気コンセント336を介してランプ（図示しない）を点灯する制御信号を生成できる。
【００７４】
幾つかの例示的な実装例では、音声コマンドに関連付けられた句はユーザによりプログラムできる。すなわち、例えば「温度を上げる」などの事前プログラム済み音声コマンド句や、例えば上述の例における「読書事前設定」などのユーザが作成できる音声コマンド句を表す項目を記憶装置334に格納しておいてもよい。ユーザが、音声コマンド事前設定に関連付けられた機能をプログラムできるだけでなく、事前設定に関連付けられた句をプログラムできることで、ユーザは自分にとってより記憶しやすり事前設定テンプレートを作成お個人用にする助けとなる。
【００７５】
一実施形態を具体的な例示的実施形態を参照しつつ説明してきたが、本発明のより広い趣旨及び範囲から逸脱することなくこれら実施形態に様々な修正及び変更が可能なことは明らかである。従って、この明細書及び図面は限定的な意味でなく例示的に理解すべきである。本明細書の一部を成す添付図面は、主題が実施できる具体的な実施形態を、例示目的で且つ限定的でなく示している。図示した実施形態は、当業者が本明細書で開示した教示を実施できるように十分詳細に記載されている。他の実施形態も使用でき且つこれらから導き出すことができ、本開示の範囲から逸脱することなく構造的又は論理的な代用及び変更が可能である。従って、この詳細な説明は限定的な意味で解釈されるべきでなく、様々な実施形態の範囲は、添付の請求項とそれら請求項の最大範囲の均等物のみによって画定される。通常どおり、「1つ」という用語は、断りがない限りは1つ又は複数を示すことがある。
【図１】
2016516479.tif 000003
【図２】
2016516479.tif 000004
【図３】
2016516479.tif 000005
【図４】
2016516479.tif 000006
【図５】
2016516479.tif 000007
【図６】
2016516479.tif 000008
【図７】
2016516479.tif 000009
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
請求項7に記載のエアマットレスシステムを動作させる方法であって、
請求項7に記載の前記エアマットレスシステムの前記中央制御装置において、ユーザが前記エアマットレスシステムの前記膨張式エアマットレス上に存在するかどうかを判定する段階と、
前記ユーザが前記マットレス上に存在するという判定に応答して前記タイマを開始する段階と、
前記タイマが時間切れになった後に前記ユーザが前記マットレス上に存在するという判定に基づいて、前記エアマットレスシステムの前記照明制御機能を使用可能にする段階と、
前記照明制御機能を使用可能にした後に、前記ユーザが前記マットレス上に既に存在しないという判定に応答して、前記中央制御装置から、前記エアマットレスシステムの少なくとも1つの照明を点灯するための少なくとも1つの命令を伝送する段階とを含む、方法。
【請求項２】
請求項7に記載の前記エアマットレスシステムの前記中央制御装置において、ユーザが前記エアマットレスシステムの前記膨張式エアマットレス上に存在するかどうかを判定する前記段階が、
圧力センサを介して総圧力変化を検出する段階を含む、請求項1に記載の方法。
【請求項３】
前記タイマが第1タイマであって、前記方法は、
前記ユーザが前記マットレス上に既に存在しないという判定に応答して第2タイマを開始する段階と、
前記第2タイマが時間切れになった後に前記ユーザが前記マットレス上に存在しないという判定に基づいて、前記エアマットレスシステムの前記照明制御機能を使用不能にする段階とをさらに含む、請求項1に記載の方法。
【請求項４】
光のレベルを検出する段階と、
前記検出された光のレベルに応答して、前記エアマットレスシステムの前記少なくとも1つの照明の明るさを調節する段階とをさらに含む、請求項1に記載の方法。
【請求項５】
請求項7に記載の前記エアマットレスシステムの前記中央制御装置において、ユーザが前記膨張式エアマットレスシステム上に存在するかどうかを判定する前記段階が、
前記エアマットレスシステムの前記中央制御装置において、前記システムのどの側部から前記ユーザが出たかを判定する段階と、
前記中央制御装置から、前記エアマットレスシステムの判定された側部に関連付けられた前記システムの少なくとも1つの照明を点灯するための少なくとも1つの命令を伝送する段階とをさらに含む、請求項1に記載の方法。
【請求項６】
前記エアマットレスシステムの前記中央制御装置において、前記システムのどの側部から前記ユーザが出たかを判定する前記段階が、
圧力センサを介して総圧力変化を検出する段階を検出する、請求項5に記載の方法。
【請求項７】
エアマットレスシステムであって、
膨張式エアマットレスと、
ポンプと、
中央制御装置であって、
ユーザが前記エアマットレスシステムの前記膨張式エアマットレス上に存在するかどうかを判定し、
前記ユーザが前記マットレス上に存在するという判定に応答してタイマを開始し、
前記タイマが時間切れになった後に前記ユーザが前記マットレス上に存在するという判定に基づいて、前記エアマットレスシステムの照明制御機能を使用可能にし、
前記照明制御機能を使用可能にした後に、前記ユーザが前記マットレス上に既に存在しないという判定に応答して、前記中央制御装置から、前記エアマットレスシステムの少なくとも1つの照明を点灯するための少なくとも1つの命令を伝送するよう構成されたプロセッサを含む中央制御装置とを含む、システム。
【請求項８】
ユーザが前記エアマットレスシステムのマットレス上に存在するかどうかを判定するよう構成された前記プロセッサは、
圧力センサを介して総圧力変化を検出するよう構成されている、請求項7に記載のシステム。
【請求項９】
前記タイマが第1タイマであって、前記プロセッサは、
前記ユーザが前記マットレス上に既に存在しないという判定に応答して第2タイマを開始し、
前記第2タイマが時間切れになった後に前記ユーザが前記マットレス上に存在しないという判定に基づいて、前記エアマットレスシステムの前記照明制御機能を使用不能にするようさらに構成されている、請求項7に記載のシステム。
【請求項１０】
少なくとも1つの光センサをさらに含み、
前記プロセッサは、
前記少なくとも1つの光センサにより受け取られた光のレベルを検出し、
前記検出された光のレベルに応答して、前記エアマットレスシステムの前記少なくとも1つの照明の明るさを調節するようさらに構成されている、請求項7に記載のシステム。
【請求項１１】
ユーザが前記エアマットレスシステムのマットレス上に存在するかどうかを判定するよう構成された前記プロセッサは、
前記システムのどの側部から前記ユーザが出たかを判定し、
前記エアマットレスシステムの判定された側部に関連付けられた前記システムの少なくとも1つの照明を点灯するための少なくとも1つの命令を伝送するようさらに構成されている、請求項7に記載のシステム。
【請求項１２】
前記システムのどの側部から前記ユーザが出たかを判定するよう構成された前記プロセッサは、
圧力センサを介して総圧力変化を検出するよう構成されている、請求項10に記載のシステム。
【請求項１３】
前記膨張式エアマットレスを支持する調節可能な基礎をさらに含む、請求項7に記載のシステム。
【請求項１４】
前記1つ又は複数の照明は、前記調節可能な基礎から光を外側に投射するように、前記調節可能な基礎の下に配置されている、請求項13に記載のシステム。
【請求項１５】
前記システムが、調節可能な基礎と、前記調節可能な基礎の下方に位置すると共に前記中央制御装置から伝送される前記少なくとも1つの命令に応答して自動的に点灯可能な1つ又は複数の照明とをさらに含む、請求項7に記載のシステム。
【請求項１６】
前記システムが、前記調節可能な基礎を支持する基礎をさらに備え、前記基礎に取り付けられた1つ又は複数の照明であって、前記中央制御装置から伝送される前記少なくとも1つの命令に応答して部屋の一部を照明するよう構成された1つ又は複数の照明を備えた、請求項7に記載のシステム。
【請求項１７】
前記1つ又は複数の照明は、前記基礎から光を外側に投射するように、前記基礎の下に配置されている、請求項16に記載のシステム。
【請求項１８】
前記1つ又は複数の照明は、前記基礎の周りに取り付けられ、前記基礎の外周部に沿って固定された、請求項16に記載のシステム。
【請求項１９】
前記1つ又は複数の照明は、前記基礎の周りに取り付けられ、前記基礎の少なくとも2つの側部に沿って延伸している、請求項16に記載のシステム。
【請求項２０】
前記システムが、基礎と、前記基礎の下方に位置すると共に前記中央制御装置から伝送される前記少なくとも1つの命令に応答して自動的に点灯可能な1つ又は複数の照明とをさらに含む、請求項7に記載のシステム。
【国際調査報告】
2016516479.tif 000010
2016516479.tif 000011
2016516479.tif 000012
2016516479.tif 000013
2016516479.tif 000014